(57)【特許請求の範囲】
【請求項１】
相互に平行な２本の傾斜支柱を有する第１の傾斜支柱対と、相互に平行かつ前記傾斜支柱と平行な２本の傾斜支柱を有する第２の傾斜支柱対と、一端部が前記第１の傾斜支柱対の２本の前記傾斜支柱に回動自在にピンにより結合されるとともに他端部が前記第２の傾斜支柱対の２本の前記傾斜支柱に回動自在にピンにより結合される複数の踏み板とを有し傾斜角度が可変の階段本体と、
ピンが係合する係合凹部が先端部に形成され、ピンが当接する当接部が前記係合凹部に対向して基端部に形成されるとともに前記当接部に連通する着脱用の開口部が前記基端部に形成された係合部材と、前記係合部材の前記基端部に一端部が連結された連結棒材と、前記連結棒材の他端部に連結される連結片、および当該連結片に対向するとともに前記傾斜支柱を締結するねじ部材が設けられた締結片を有し前記傾斜支柱に装着される締結具とを備えたストッパー部材とを有し、
前記ストッパー部材を一方の前記傾斜支柱対に装着するときには前記係合凹部を前記連結棒材に対して上向きとして前記係合凹部に前記ピンを係合させ、前記ストッパー部材を他方の前記傾斜支柱対に装着するときには前記係合凹部を前記連結棒材に対して下向きとして前記当接部に前記ピンを当接させることにより、同一構造の前記ストッパー部材を両方の前記傾斜支柱対のいずれにも装着し得ることを特徴とする仮設階段。
【請求項２】
請求項１記載の仮設階段において、相互に同一構造の第１と第２の２つのストッパー部材を有し、一方のストッパー部材の前記係合凹部を前記連結棒材に対して上向きとして前記係合凹部に前記ピンを係合させて一方の前記傾斜支柱対に装着し、他方のストッパー部材の前記係合凹部を前記連結棒材に対して下向きとして前記当接部に前記ピンを当接させて他方の前記傾斜支柱対に装着することを特徴とする仮設階段。
【請求項３】
請求項１または２記載の仮設階段において、前記ねじ部材が前記傾斜支柱に対して外側となるように前記締結具を前記傾斜支柱に締結することを特徴とする仮設階段。
【請求項４】
請求項１〜３のいずれか１項に記載の仮設階段において、前記締結具の前記連結片を前記連結棒材に回動自在に連結することを特徴とする仮設階段。
【請求項５】
相互に平行な２本の傾斜支柱を有する第１の傾斜支柱対と、相互に平行かつ前記傾斜支柱と平行な２本の傾斜支柱を有する第２の傾斜支柱対と、一端部が前記第１の傾斜支柱対の２本の前記傾斜支柱に回動自在にピンにより結合されるとともに他端部が前記第２の傾斜支柱対の２本の前記傾斜支柱に回動自在にピンにより結合される複数の踏み板とを有し傾斜角度が可変となった仮設階段の傾斜移動を規制する仮設階段用のストッパーであって、
ピンが係合する係合凹部が先端部に形成され、ピンが当接する当接部が前記係合凹部に対向して基端部に形成されるとともに前記当接部に連通する着脱用の開口部が前記基端部に形成された係合部材と、
前記係合部材の前記基端部に一端部が連結された連結棒材と、
前記連結棒材の他端部に連結される連結片、および当該連結片に対向するとともに前記傾斜支柱を締結するねじ部材が設けられた締結片を有し前記傾斜支柱に装着される締結具とを備えたストッパー部材を有し、
前記ストッパー部材を一方の前記傾斜支柱対に装着するときには前記係合凹部を前記連結棒材に対して上向きとして前記係合凹部に前記ピンを係合させ、前記ストッパー部材を他方の前記傾斜支柱対に装着するときには前記係合凹部を前記連結棒材に対して下向きとして前記当接部に前記ピンを当接させることにより、同一構造の前記ストッパー部材を両方の前記傾斜支柱対のいずれにも装着し得ることを特徴とする仮設階段用のストッパー。
【請求項６】
請求項５記載の仮設階段用のストッパーにおいて、作業者が上り下りする前記踏み板の左側の前記傾斜支柱対に前記係合凹部を前記連結棒材に対して上向きとして前記ストッパー部材を装着し、前記踏み板の右側の前記傾斜支柱対に前記係合凹部を前記連結棒材に対して下向きとして前記ストッパー部材を装着することを特徴とする仮設階段用のストッパー。
【請求項７】
請求項５または６記載の仮設階段用のストッパーにおいて、前記ねじ部材が前記傾斜支柱に対して外側となるように前記締結具を前記傾斜支柱に締結することを特徴とする仮設階段用のストッパー。
【請求項８】
請求項５〜７のいずれか１項に記載の仮設階段用のストッパーにおいて、前記締結具の前記連結片を前記連結棒材に回動自在に連結することを特徴とする仮設階段用のストッパー。
【発明の詳細な説明】
【技術分野】
【０００１】
本発明は、傾斜角度を可変とする仮設階段および仮設階段に用いられその傾斜移動を規制する仮設階段用のストッパーに関する。
【背景技術】
【０００２】
マンションやオフィスビル等の建築物を建設する建築現場においては、建築物や仮設足場等の構築物の上下階を上り下りするために、仮設階段が使用されている。上り下りするための上下階の高さは、仮設足場等の構築物において相違しているので、同一の仮設階段を、種々の構築物に設置するには、上下階の高さに応じて傾斜角度を変化させることができるようにする必要がある。仮設階段の傾斜角度を変化させても踏み板を常に水平に維持させるには、特許文献１に記載されるように、左右の傾斜支柱をそれぞれ前後２本ずつとした合計４本の傾斜支柱と、左右両端を前後の傾斜支柱にピン結合する複数の踏み板とにより仮設階段を形成することになる。
【先行技術文献】
【特許文献】
【０００３】
【特許文献１】特開平６−３２３００３号公報
【発明の概要】
【発明が解決しようとする課題】
【０００４】
このように、傾斜角度を可変とした仮設階段は、傾斜角度を変化させることにより、同一の仮設階段を下側階と上側階の段差が相違する複数の箇所に段差に対応させて、踏み板を水平に保持しつつ設置することができる。傾斜角度可変式の仮設階段は、このような利点を有しているが、踏み板は支柱に対してピンにより回動自在に取り付けられているので、仮設階段を設置場所に強固に固定するには、傾斜支柱を下側階と上側階とに固定する必要がある。そのために、傾斜支柱の上端部にこれを上側階の部材に連結するためのフックが設けられている。
【０００５】
しかしながら、全ての踏み板は左右の支柱に対して回動自在にピン結合されているので、フックにより傾斜支柱の上端部を上側階の部材に連結しても、作業者が仮設階段を上り下りする際に仮設階段に揺れが発生することが避けられない。
【０００６】
本発明の目的は、傾斜角度を可変とする仮設階段の傾斜移動を規制して仮設階段の揺れの発生を防止することにある。
【課題を解決するための手段】
【０００７】
本発明の仮設階段は、相互に平行な２本の傾斜支柱を有する第１の傾斜支柱対と、相互に平行かつ前記傾斜支柱と平行な２本の傾斜支柱を有する第２の傾斜支柱対と、一端部が前記第１の傾斜支柱対の２本の前記傾斜支柱に回動自在にピンにより結合されるとともに他端部が前記第２の傾斜支柱対の２本の前記傾斜支柱に回動自在にピンにより結合される複数の踏み板とを有し傾斜角度が可変の階段本体と、ピンが係合する係合凹部が先端部に形成され、ピンが当接する当接部が前記係合凹部に対向して基端部に形成されるとともに前記当接部に連通する着脱用の開口部が前記基端部に形成された係合部材と、前記係合部材の前記基端部に一端部が連結された連結棒材と、前記連結棒材の他端部に連結される連結片、および当該連結片に対向するとともに前記傾斜支柱を締結するねじ部材が設けられた締結片を有し前記傾斜支柱に装着される締結具とを備えたストッパー部材とを有し、前記ストッパー部材を一方の前記傾斜支柱対に装着するときには前記係合凹部を前記連結棒材に対して上向きとして前記係合凹部に前記ピンを係合させ、前記ストッパー部材を他方の前記傾斜支柱対に装着するときには前記係合凹部を前記連結棒材に対して下向きとして前記当接部に前記ピンを当接させることにより、同一構造の前記ストッパー部材を両方の前記傾斜支柱対のいずれにも装着し得ることを特徴とする。
【０００８】
本発明の仮設階段は、相互に同一構造の第１と第２の２つのストッパー部材を有し、一方のストッパー部材の前記係合凹部を前記連結棒材に対して上向きとして前記係合凹部に前記ピンを係合させて一方の前記傾斜支柱対に装着し、他方のストッパー部材の前記係合凹部を前記連結棒材に対して下向きとして前記当接部に前記ピンを当接させて他方の前記傾斜支柱対に装着することを特徴とする。本発明の仮設階段は、前記ねじ部材が前記傾斜支柱に対して外側となるように前記締結具を前記傾斜支柱に締結することを特徴とする。本発明の仮設階段は、前記締結具の前記連結片を前記連結棒材に回動自在に連結することを特徴とする。
【０００９】
本発明の仮設階段用のストッパーは、相互に平行な２本の傾斜支柱を有する第１の傾斜支柱対と、相互に平行かつ前記傾斜支柱と平行な２本の傾斜支柱を有する第２の傾斜支柱対と、一端部が前記第１の傾斜支柱対の２本の前記傾斜支柱に回動自在にピンにより結合されるとともに他端部が前記第２の傾斜支柱対の２本の前記傾斜支柱に回動自在にピンにより結合される複数の踏み板とを有し傾斜角度が可変となった仮設階段の傾斜移動を規制する仮設階段用のストッパーであって、ピンが係合する係合凹部が先端部に形成され、ピンが当接する当接部が前記係合凹部に対向して基端部に形成されるとともに前記当接部に連通する着脱用の開口部が前記基端部に形成された係合部材と、前記係合部材の前記基端部に一端部が連結された連結棒材と、前記連結棒材の他端部に連結される連結片、および当該連結片に対向するとともに前記傾斜支柱を締結するねじ部材が設けられた締結片を有し前記傾斜支柱に装着される締結具とを備えたストッパー部材を有し、前記ストッパー部材を一方の前記傾斜支柱対に装着するときには前記係合凹部を前記連結棒材に対して上向きとして前記係合凹部に前記ピンを係合させ、前記ストッパー部材を他方の前記傾斜支柱対に装着するときには前記係合凹部を前記連結棒材に対して下向きとして前記当接部に前記ピンを当接させることにより、同一構造の前記ストッパー部材を両方の前記傾斜支柱対のいずれにも装着し得ることを特徴とする。
【００１０】
本発明の仮設階段用のストッパーは、作業者が上り下りする前記踏み板の左側の前記傾斜支柱対に前記係合凹部を前記連結棒材に対して上向きとして前記ストッパー部材を装着し、前記踏み板の右側の前記傾斜支柱対に前記係合凹部を前記連結棒材に対して下向きとして前記ストッパー部材を装着することを特徴とする。本発明の仮設階段用のストッパーは、前記ねじ部材が前記傾斜支柱に対して外側となるように前記締結具を前記傾斜支柱に締結することを特徴とする。本発明の仮設階段用のストッパーは、前記締結具の前記連結片を前記連結棒材に回動自在に連結することを特徴とする。
【発明の効果】
【００１１】
傾斜角度を可変とした階段本体にストッパー部材を装着すると、踏み板の傾斜支柱に対する回動が規制されるので、仮設階段は全体が強固に固定締結された状態となり、作業者が仮設階段を上る下りする際には、踏み板が揺れることを防止できる。これにより、作業者は安全に仮設階段を上り下りすることができる。
【００１２】
同一のストッパー部材を仮設階段の左右いずれにも装着することができるので、同種のストッパーを仮設階段の左右両方に装着することができ、仮設階段の左右に対応させて複数種類のストッパーを製造することが不要となり、仮設階段に対するストッパー部材の装着作業を容易に行うことができるとともに、ストッパー部材の製造管理を容易に行うことができる。
【図面の簡単な説明】
【００１３】
【図１】ストッパーが装着された状態の仮設階段を示す斜視図である。
【図２】（Ａ）は図１において左側に装着されたストッパー部材を示す斜視図であり、（Ｂ）は図１において右側に装着されたストッパー部材を示す斜視図である。
【図３】（Ａ）は図２（Ａ）において矢印Ａ方向から見たストッパー部材を拡大して示す正面図であり、（Ｂ）は図２（Ｂ）において矢印Ｂ方向から見たストッパー部材を拡大して示す正面図である。
【図４】図２（Ｂ）に示されたストッパー部材の平面図である。
【発明を実施するための形態】
【００１４】
以下、本発明の実施の形態を図面に基づいて詳細に説明する。本発明の仮設階段は、図１に示す階段本体１０を有している。階段本体１０は、相互に平行な正面側と背面側の２本の傾斜支柱１１ａ，１１ｂを有し図１において左側に示される第１の傾斜支柱対１１と、相互に平行な正面側と背面側の２本の傾斜支柱１２ａ，１２ｂを有し図１において右側に示される第２の傾斜支柱対１２とを備えている。左右の傾斜支柱対１１，１２には、それぞれ四辺形の複数枚の踏み板１３が相互に平行となって取り付けられている。それぞれの踏み板１３は、図１において左側部である一端部が前側のピン１４ａにより正面側の傾斜支柱１１ａにピン結合され、後側のピン１４ｂにより背面側の傾斜支柱１１ｂにピン結合されている。それぞれの踏み板１３は、図１において右側部である他端部が前側のピン１５ａにより正面側の傾斜支柱１２ａにピン結合され、後側のピン１５ｂにより背面側の傾斜支柱１２ｂにピン結合されている。
【００１５】
なお、踏み板１３の左側から突出しているピン１４ａと、右側から突出しているピン１５ａとを１本の棒材により形成するようにしても良く、同様にピン１４ａとピン１５ｂとを１本の棒材により形成するようにしても良い。
【００１６】
このように、階段本体１０は、相互に平行な２本の傾斜支柱１１ａ，１１ｂと相互に平行な複数枚の踏み板１３とにより平行四辺形リンクが形成され、同様に相互に平行な傾斜支柱１２ａ，１２ｂと踏み板１３とにより平行四辺形リンクが形成される。これにより、階段本体１０を図示しない構築物の下側階と上側階との間に掛け渡すと、傾斜支柱１１ａ〜１２ｂをどのような角度で傾斜させても、それぞれの踏み板１３は水平状態となる。したがって、水平状態となった踏み板１３を使用して作業者は下側階と上側階との間で容易に上り下りすることができる。
【００１７】
それぞれの傾斜支柱１１ａ〜１２ｂの下端部には、前記した特許文献１に記載されるように、接地板を踏み板１３に平行に取り付けるようにしても良い。また、背面側の傾斜支柱１１ｂ，１２ｂの上端部に上側階の部材に引っ掛けるフックを設けるようにしても良く、さらには左右の傾斜支柱対１１，１２に手摺りを設けるようにしても良い。
【００１８】
左右の傾斜支柱対１１，１２には１つずつストッパー部材１９が装着されている。左側の傾斜支柱対１１には、ストッパー部材１９が図２（Ａ）に示されるように上向きに装着され、右側の傾斜支柱対１２には、ストッパー部材１９が図２（Ｂ）に示されるように下向きに装着されている。
【００１９】
ストッパー部材１９は、図２に示されるように、ピンに装着される係合部材２０と、係合部材２０が装着されたピンが設けられた傾斜支柱に対して前後が逆となった傾斜支柱に装着される締結具３０とを有している。係合部材２０と締結具３０は、係合部材２０に一端部が連結されるとともに他端部に締結具３０が連結される連結棒材４０により連結されている。連結棒材４０は係合部材２０の基端部に連結されている。
【００２０】
係合部材２０は全体的にほぼ長方形の板材からなり、係合部材２０には長手方向に伸びる長孔２１が形成されている。長孔２１のうち係合部材２０の先端部側はピンが入り込む係合凹部２２となっており、長孔２１の基端部側は係合凹部２２に対向する当接部２３となっている。係合凹部２２はピンの外径よりも大きい深さとなっている。係合部材２０の基端部側には、長孔２１に対して横方向に伸びて長孔２１と連通する開口部２４が形成されており、開口部２４は当接部２３に連通している。連結棒材４０の一端部は係合部材２０の基端部側に当接部２３よりも外側に位置させて連結されている。長孔２１の長手方向の寸法はピンの外径よりも長くなっており、横方向の寸法はピンの外径にほぼ対応している。係合部材２０としては、図示する場合には板材により形成されているが、板材により形成することなく、棒材を折り曲げて図示するように、長孔２１と開口部２４とを有すＬ字形状のスペースを有する部材により係合部材２０を形成するようにしても良い。
【００２１】
一方、締結具３０は連結片３１とこれに対向する締結片３２とを有しており、連結片３１と締結片３２はスペーサ片３３により連結されている。連結片３１と締結片３２とスペーサ片３３は金属製の板材を図示するように全体的にコの字形状に折り曲げることにより形成される。連結片３１と締結片３２の間の隙間寸法は傾斜支柱の厚み寸法よりも大きく設定されている。締結具３０の外周面には補強部３４が設けられており、締結片３２には補強部３４を貫通してねじ部材としてのボルト３５がねじ結合され、ボルト３５の先端部は図４に示されるように締結片３２の内面に突出するようになっている。このボルト３５により締結具３０は傾斜支柱に締結される。ボルト３５を回転する際にはボルト３５の六角形の頭部にスパナを引っ掛けることになるが、ボルト３５に代えて頭部の部分に手動操作用の部材が設けられた蝶ねじをねじ部材として使用するようにしても良い。
【００２２】
連結片３１は連結ピン３６により連結棒材４０に回動自在に連結されている。これにより、ストッパー部材１９を傾斜支柱対に装着する際に、締結具３０のスペーサ片３３を傾斜支柱に接触させた状態で連結棒材４０を締結具３０に対して任意の角度に回動させることができる。
【００２３】
図１に示すように、ストッパー部材１９を左側の傾斜支柱対１１に装着するには、ストッパー部材１９を図２（Ａ）に示すように、上向き姿勢つまり係合部材２０を連結棒材４０よりも上側として、背面側の傾斜支柱１１ｂに取り付けられたピン１４ｂを係合凹部２２内に係合される。一方、締結具３０を正面側の傾斜支柱１１ａに装着してボルト３５を傾斜支柱１１ａに締結する。このときには、ボルト３５が階段本体１０の外側に突出するようにして締結具３０を傾斜支柱１１ａに装着することになる。
【００２４】
他のストッパー部材１９を右側の傾斜支柱対１２に装着するには、ストッパー部材１９を図２（Ｂ）に示すように、図２（Ａ）に示す場合と上下を反転させる。つまり下向き姿勢つまり係合部材２０を連結棒材４０よりも下側として、背面側の傾斜支柱１２ｂに取り付けられたピン１５ｂを当接部２３に当接させる。一方、締結具３０を正面側の傾斜支柱１２ａに装着してボルト３５を傾斜支柱１２ａに締結する。このときには、ボルト３５が階段本体１０の外側に突出するようにして締結具３０を傾斜支柱１１ａに装着することになる。
【００２５】
このように、階段本体１０にストッパー部材１９を装着すると、それぞれの傾斜支柱１１ａ〜１２ｂの傾斜移動が規制されるので、階段本体１０を作業者が上り下りするときに階段本体１０が揺れることを防止することができる。これにより、作業者は安全に階段本体１０を上り下りすることができる。図１には傾斜角度可変式の階段本体１０の左右の傾斜支柱対１１，１２に１つずつストッパー部材１９を装着した場合を示すが、左右の傾斜支柱対１１，１２のいずれか一方に装着すれば、階段本体１０の傾斜移動を規制することができる。
【００２６】
ストッパー部材１９は連結棒材４０の一端部に係合部材２０の基端部が取り付けられており、係合部材２０は連結棒材４０に対して横方向に突出し、係合部材２０には先端部側に係合凹部２２が設けられている。したがって、ストッパー部材１９を図２（Ａ）に示すように、係合凹部２２を上向きとして係合凹部２２にピンを係合させると、ストッパー部材１９がピンから外れることが防止される。一方、ストッパー部材１９を図２（Ｂ）に示すように、係合凹部２２を下向きとして当接部２３にピンを当接すると、ピンよりも連結棒材４０が上側となるので、当接部２３が開口部２４に向けてフラットとなっていても、ストッパー部材１９がピンから外れることを防止できる。
【００２７】
ストッパー部材１９を、係合凹部２２を上向きとして係合凹部２２にピンを係合させたときには、ボルト３５は傾斜支柱に対して外側となる。同様に、ストッパー部材１９を、係合凹部２２を下向きとして当接部２３にピンを当接させたときにも、ボルト３５は傾斜支柱に対して外側となる。ボルト３５を傾斜支柱の内側に突出させると、作業者の上り下りに際してボルト３５が作業者の邪魔となるが、図示するようにボルト３５を外側に向けて突出させるようにすると、作業者の邪魔となることがない。
【００２８】
同一のストッパー部材１９を左右の傾斜支柱対１１，１２のいずれにも取り付けることができるので、左右の傾斜支柱対１１，１２に対応させて２種類のストッパー部材１９を製造することなく、同一構造のストッパー部材１９を、左右のいずれの傾斜支柱対１１，１２に対しても装着することができる。これにより、ストッパー部材１９の保管管理を容易に行うことができる。また、階段本体１０の左右の傾斜支柱対１１，１２のいずれにも同一構造のストッパー部材１９を装着することができるので、同一構造の２つのストッパー部材１９を左右の傾斜支柱対１１，１２の両方に装着することができるとともに、一方の傾斜支柱対にストッパー部材１９を装着することもできる。
【００２９】
ストッパー部材１９の一端部は傾斜支柱対のピンに係合ないし当接させ、他端部は締結具３０により傾斜支柱に固定するようにしたので、踏み板１３の前後方向の幅寸法が相互に相違する複数種類の仮設階段に対しても同一のストッパー部材１９を用いて傾斜移動を規制することができる。
【００３０】
ストッパー部材１９の階段本体１０に対する装着形態としては、図１に示すように、係合部材２０を背面側の傾斜支柱１１ｂ，１２ｂのピンに係合させるようにし、正面側の傾斜支柱１１ａ，１２ａに締結具３０を装着するようにしているが、前後を逆転させてストッパー部材１９を階段本体１０に装着するようにしても良い。その場合にも、それぞれボルト３５が外側となるように、ストッパー部材１９を装着すると、作業者の上り下りの邪魔になることがない。
【００３１】
本発明は前記実施の形態に限定されるものではなく、その要旨を逸脱しない範囲で種々変更可能である。例えば、ストッパー部材１９が装着される階段本体１０としては、特許文献１に記載されるように、前側の傾斜支柱から踏み板１３が突出し、後側の傾斜支柱まで踏み板１３が伸びていないタイプについても適用することができる。また、当接部２３を係合凹部２２と同様に長孔としても良く、その場合には開口部２４から図２において上下方向に係合凹部２２と当接部２３とが伸びた形状となる。
【符号の説明】
【００３２】
１０    階段本体
１１    傾斜支柱対
１１ａ，１１ｂ    傾斜支柱
１２    傾斜支柱対
１２ａ，１２ｂ    傾斜支柱
１３    踏み板
１４ａ，１４ｂ，１５ａ，１５ｂ    ピン
１９    ストッパー部材
２０    係合部材
２１    長孔
２２    係合凹部
２３    当接部
２４    開口部
３０    締結具
３１    連結片
３２    締結片
３３    スペーサ片
３４    補強部
３５    ボルト（ねじ部材）
３６    連結ピン
４０    連結棒材
【図１】
0005748618.tif 000002
【図２】
0005748618.tif 000003
【図３】
0005748618.tif 000004
【図４】
0005748618.tif 000005